(57)【特許請求の範囲】
【請求項１】
開閉可能な一対のケース内に遊技に関する制御を司る制御基板が収納されている遊技機の基板ユニットにおいて、
前記制御基板に遊技機の製造業者を示す複数の社名が表示されていると共に、これら複数の社名の１つを露呈させて残りを隠蔽する目隠し部材が脱着不能なスナップかしめ部を介して前記制御基板に固定されており、前記目隠し部材が前記制御基板の片面で前記社名の表示領域に載置された本体部を有し、この本体部が、前記複数の社名の全てを露呈させることが可能な透明板と、この透明板に貼着されて前記複数の社名の１つを除いて残部を選択的に隠蔽する隠蔽シールとで構成されていることを特徴とする遊技機の基板ユニット。
【請求項２】
請求項１の記載において、前記目隠し部材が、長板状の前記本体部と、この本体部の長手方向の一端側に設けられた第１フック部と、前記本体部の長手方向の他端側から導出して前記制御基板の他面に敷設された紐状体と、この紐状体の先端に設けられた第２フック部とで構成されており、前記第１フック部と前記第２フック部とをスナップ結合して前記スナップかしめ部となしたことを特徴とする遊技機の基板ユニット。
【請求項３】
請求項１の記載において、前記複数の社名が前記制御基板の一側面に沿って列状に表示されていると共に、前記制御基板に前記社名の表示領域の近傍に位置する貫通孔が設けられており、前記目隠し部材が、前記本体部と、この本体部に設けられた第１フック部と、前記本体部に折り畳み可能に連結されて前記制御基板の他面に位置する蓋体部と、この蓋体部に設けられた第２フック部とで構成されており、前記第１フック部と前記第２フック部のいずれか一方を前記貫通孔に挿通して他方にスナップ結合することによって前記スナップかしめ部となしたことを特徴とする遊技機の基板ユニット。
【発明の詳細な説明】
【技術分野】
【０００１】
本発明は、パチンコ機やスロットマシン等の遊技機に備えられる基板ユニットに関するものである。
【背景技術】
【０００２】
パチンコ機やスロットマシン等の遊技機には遊技の制御を司る種々の制御基板が設けられており、この制御基板には「遊技機の製造業者の社名」や「当該基板の型式を特定するための番号、記号その他の符号」を印刷することが義務付けられている。通常、この種の制御基板は上ケースと下ケース内に収納されることで基板ユニットとして構成されており、この基板ユニットは遊技機の裏面や筐体内部に着脱可能に取り付けられている。
【０００３】
近年、遊技機の分野でも部品の共通化が推進されており、例えばＡ社用とＢ社用のパチンコ機に対して一種類の制御基板を共通に使用することで、基板の製造コストを削減しようとする試みがなされている。この場合、制御基板には対応する製造業者の社名と型式識別標識を印刷する必要があるため、基板に搭載される回路構成の共通化は図れるとしても、Ａ社の製造業者識別標識と型式識別標識が印刷された基板と、Ｂ社の製造業者識別標識と型式識別標識が印刷された基板とを個別に製造して管理する必要がある。したがって、同一の制御内容を有する制御基板であるにも拘わらず、製造コストの大幅な低減化は困難となり、部品管理も煩雑になるという問題があった。
【０００４】
そこで、従来より、基板主体部の隅部に切断部を介して連接する複数の識別標識表示部を設けると共に、これら各識別標識表示部に製造業者名等を示す異なる識別標識（例えばＡ社用とＢ社用）を表示し、１つの切断部を除いて残りの切断部を基板主体部から切断することにより、任意の１つの識別標識表示部だけを基板主体部に一体に残すようにした制御基板が提案されている（例えば、特許文献１参照）。このように構成された制御基板では、Ａ社の識別標識が表示された識別標識表示部を切断して除去すればＢ社用の制御基板となり、Ｂ社の識別標識が表示された識別標識表示部を切断して除去すればＡ社用の制御基板となるため、同一の回路構成部品を搭載した一種類の制御基板を製造するだけで、異なる２つの製造業者に対して制御基板を供給することができる。
【先行技術文献】
【特許文献】
【０００５】
【特許文献１】特開２０１０−１４２４７１号公報
【発明の概要】
【発明が解決しようとする課題】
【０００６】
前述した従来技術によれば、不要な識別標識表示部を基板主体部から除去すると共に、必要な識別標識表示部だけを基板主体部に一体に残すことにより、一種類の制御基板を複数の製造会社用に共通に使用することができるため、基板の製造コストを削減することができる。しかしながら、不要とされる識別標識表示部を切断して基板主体部から除去することで所望の制御基板を得るようにしているため、例えばＢ社の識別標識が表示された識別標識表示部を除去してＡ社用の制御基板とした場合、この制御基板をＢ社用としてリユース（再使用）することはできず、循環型社会を構築するという昨今のトレンドに対応できていないという難点があった。
【０００７】
本発明は、このような従来技術の実情に鑑みてなされたもので、その目的は、一種類の制御基板を複数の会社間で共通に使用できると共に、異なる会社間でのリユースを可能にした遊技機の基板ユニットを提供することにある。
【課題を解決するための手段】
【０００８】
上記の目的を達成するために、本発明は、開閉可能な一対のケース内に遊技に関する制御を司る制御基板が収納されている遊技機の基板ユニットにおいて、前記制御基板に遊技機の製造業者を示す複数の社名が表示されていると共に、これら複数の社名の１つを露呈させて残りを隠蔽する目隠し部材が脱着不能なスナップかしめ部を介して前記制御基板に固定されており、前記目隠し部材が前記制御基板の片面で前記社名の表示領域に載置された本体部を有し、この本体部が、前記複数の社名の全てを露呈させることが可能な透明板と、この透明板に貼着されて前記複数の社名の１つを除いて残部を選択的に隠蔽する隠蔽シールとで構成されていることを特徴としている。
【０００９】
このように構成された基板ユニットでは、制御基板にスナップかしめ部を介して固定された目隠し部材によって複数の社名の１つが選択的に露呈されるため、一種類の制御基板を複数の会社間で共通に使用することができるだけでなく、目隠し部材を交換して別の社名を露呈させることにより、異なる会社間でのリユースも可能となる。また、目隠し部材が制御基板の片面で社名の表示領域に載置された本体部を有し、この本体部が、複数の社名の全てを露呈させることが可能な透明板と、この透明板に貼着されて複数の社名の１つを除いて残部を選択的に隠蔽する隠蔽シールとで構成されているため、同一種類の透明板に対する隠蔽シールの貼着位置や形状を変更するだけで複数種類の目隠し部材を形成することができる。
【００１０】
上記の構成において、前記目隠し部材としては種々の形態が可能であり、例えば目隠し部材が、制御基板の片面で社名の表示領域に載置された長板状の本体部と、この本体部の長手方向の一端側に設けられた第１フック部と、本体部の長手方向の他端側から導出して制御基板の他面に敷設された紐状体と、この紐状体の先端に設けられた第２フック部とで構成されており、第１フック部と第２フック部とをスナップ結合してスナップかしめ部となすようにすれば良い。あるいは、複数の社名が制御基板の一側面に沿って列状に表示されていると共に、制御基板に社名の表示領域の近傍に位置する貫通孔が設けられており、目隠し部材が、制御基板の片面で社名の表示領域に載置された本体部と、この本体部に設けられた第１フック部と、本体部に折り畳み可能に連結されて制御基板の他面に位置する蓋体部と、この蓋体部に設けられた第２フック部とで構成されており、第１フック部と第２フック部のいずれか一方を貫通孔に挿通して他方にスナップ結合することによってスナップかしめ部となすようにすれば良い。
【発明の効果】
【００１３】
本発明による遊技機の基板ユニットは、一対のケース内に収納される制御基板に遊技機の製造業者を示す複数の社名が表示され、これら社名の１つが制御基板にスナップかしめ部を介して固定された目隠し部材によって選択的に露呈されるようになっているため、一種類の制御基板を複数の会社間で共通に使用することができるだけでなく、目隠し部材を交換して別の社名を露呈させることにより、異なる会社間でのリユースも可能となる。また、目隠し部材が制御基板の片面で社名の表示領域に載置された本体部を有し、この本体部が、複数の社名の全てを露呈させることが可能な透明板と、この透明板に貼着されて複数の社名の１つを除いて残部を選択的に隠蔽する隠蔽シールとで構成されているため、同一種類の透明板に対する隠蔽シールの貼着位置や形状を変更するだけで複数種類の目隠し部材を形成することができる。
【図面の簡単な説明】
【００１４】
【図１】本発明の基板ユニットが取り付けられたパチンコ機の外観斜視図である。
【図２】図１に示すパチンコ機のガラス扉を開けた状態の外観斜視図である。
【図３】図１に示すパチンコ機の背面図である。
【図４】本発明の実施形態例に係る基板ユニットの外観斜視図である。
【図５】図４に示す基板ユニットの背面図である。
【図６】図４に示す基板ユニット内に収納された制御基板の平面図である。
【図７】図６に示す制御基板の裏面図である。
【図８】図６のＡ−Ａ線に沿う断面図である。
【図９】図６に示す制御基板に固定される目隠し部材の分解斜視図である。
【図１０】図９の目隠し部材に貼着される隠蔽シールの説明図である。
【図１１】図９の目隠し部材を制御基板に固定する組付作業を示す斜視図である。
【図１２】変形例に係る目隠し部材を制御基板に固定した状態を示す斜視図である。
【図１３】図１２のＢ−Ｂ線に沿う断面図である。
【図１４】図１２の目隠し部材を制御基板に固定する組付作業を示す斜視図である。
【図１５】他の変形例に係る目隠し部材を制御基板に固定した状態を示す平面図である。
【図１６】図１５に示す目隠し部材の斜視図である。
【発明を実施するための形態】
【００１５】
発明の実施の形態について図面を参照して説明すると、図１に示すように、本発明の基板ユニットが取り付けられたパチンコ機（遊技機）Ｐは、遊技場の島設備に設置される縦長方形状の機枠１と、機枠１に扉状に開閉自在に取り付けられた本体枠２と、本体枠２の前面に扉状に開閉自在に取り付けられたガラス扉３等を備えており、ガラス扉３にはガラスやプラスチック等からなる透明板４が取り付けられている。
【００１６】
図２に示すように、機枠１の左側枠部には上側軸受け体５と下側軸受け体（図示せず）が固着されており、この下側軸受け体よりも下方の左下隅部には大型のスピーカ６が配設されている。一方、本体枠２の左側枠部の上下両端には第１ピン（図示せず）が設けられており、これら両第１ピンが対応する上下の軸受け体に軸支されることにより、本体枠２は機枠１に対して開閉自在となっている。
【００１７】
本体枠２の上部内側には遊技盤７が収納されており、この遊技盤７の盤面（前面）は透明板４を透して目視可能となっている。遊技盤７はガイドレール８等によって区画形成された遊技領域９を有しており、詳細な説明は省略するが、遊技領域９には可変表示装置や始動入賞口、一般入賞口、アタッカー装置、遊技釘、風車、アウト口等が設けられている。遊技盤７よりも下方の本体枠２はガラス扉３によって覆い隠される設置部２ｂとなっており、この設置部２ｂ内の下部中央には遊技球を遊技領域９に向けて発射する発射装置１０が配設されている。
【００１８】
本体枠２の右側枠部にはシリンダ錠１１ａを有する施錠装置１１が設置されており、図示省略されているが、この施錠装置１１は本体枠２の裏面に配置された後部施錠杆と本体枠２の前面に配置された前部施錠杆とを備えている。常態では、施錠装置１１の後部施錠杆により機枠１に対して本体枠２が施錠されると共に、前部施錠杆により本体枠２に対してガラス扉３が施錠されている。そして、シリンダ錠１１ａの鍵穴に図示せぬ鍵を差し込み、この鍵を一方向（例えば時計回り）へ回動すると、後部施錠杆が上動して本体枠２が開錠されるようになっている。また、シリンダ錠１１ａの鍵穴に差し込んだ鍵を他方向（反時計回り）へ回動すると、前部施錠杆が上動してガラス扉３が開錠されるようになっている。
【００１９】
ガラス扉３の左側枠部の上下両端には第２ピン（図示せず）が設けられており、これら両第２ピンを本体枠２の上下の軸孔（図示せず）に挿入することにより、ガラス扉３は本体枠２に対して開閉自在となっている。図１に戻り、ガラス扉３には遊技盤７の盤面に対向する大きな開口３ａが開設されており、この開口３ａは透明板４によって塞がれている。ガラス扉３の前面上部には比較的小型のスピーカ１２が左右に１個ずつ配設されており、これらスピーカ１２と前述した大型のスピーカ６とによって遊技に関する様々な効果音を発するようになっている。また、ガラス扉３の前面下部には、遊技盤７の裏面に配設された球払出装置（後述する）から払い出された遊技球を収容する上段受皿１３と、上段受皿１３から排出された遊技球を収容する下段受皿１４と、遊技者による押下操作が可能なプッシュ釦１５とが設けられており、上段受皿１２の右側方には発射装置１０の発射強度を調整するための操作ハンドル１６が配設されている。
【００２０】
図３に示すように、このパチンコ機Ｐの背面側には、遊技に関する主要な処理を行う主制御処理部１７と、主制御処理部１７からの指令を受けて可変表示装置やスピーカ等の各種装置を制御する副制御処理１８と、賞球払出装置１９と、主制御処理部１７からの指令を受けて賞球払出装置１９を制御する払出制御処理部２０と、操作ハンドル１６の回動量に応じて発射装置１０の作動を制御する発射制御処理部２１と、賞球数や大当たり回数等の各種情報を遊技場のホールコンピュータに出力する外部端子基板２２等が設けられている。
【００２１】
主制御処理部１７は、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装された制御基板（メイン基板）とを備えており、このＣＰＵがＲＯＭに格納された各種プログラムやデータを読み込んで実行することにより、遊技に関する主要な処理が行われる。後述するように、制御基板は一対のケース内に収納されて基板ユニット１００を構成しており、この基板ユニット１００は遊技盤３の裏面に支持部材等を介して設けられている。
【００２２】
次に、基板ユニット１００の詳細な構造について図４〜図１１を参照しながら説明すると、本実施形態例に係る基板ユニット（遊技機の基板ユニット）１００は、矩形箱状の透明な上ケース１０１と、矩形箱状の透明な下ケース１０２と、断面コ字形状のシールカバー１０３とを備えている。そして、上ケース１０１と下ケース１０２の内部に収納空間が形成されており、この収納空間にＲＡＭ等が実装された前述の制御基板１０４が収納されている（図５参照）。
【００２３】
上ケース１０１と下ケース１０２はスライド嵌合によって重ね合わされるようになっており、これら両ケース１０１，１０２の一方の短辺側どうしを重ね合わせて図示せぬネジで固定した後、その重なり部分に跨がるように封印シール１０５が貼り付けられている。封印シール１０５は裏面に粘着層が形成された矩形状のベースシートを備えた公知のものであり、詳細については説明を省略するが、粘着層にはＩＣタグが埋め込まれている。このＩＣタグは、ベースシートの対角線に沿って延びる長尺状のアンテナと、アンテナの中央付近に配置されたＩＣチップとを備えており、ＩＣチップに記憶された固有の識別情報がリーダー機によって読み取り可能となっている。なお、封印シール１０５のベースシートは手指を用いて簡単に破ることが可能であり、ベースシートを破ることによってＩＣタグも同時に切断される。シールカバー１０３は一側面を開放した透明な樹脂成形品であり、このシールカバー１０３によって封印シール１０５は覆われている。シールカバー１０３は両ケース１０１，１０２に対して側方から挿入されて超音波溶着やかしめ等の適宜手段で固定されており、これによって両ケース１０１，１０２は制御基板１０４を収納した状態で封印されるようになっている。
【００２４】
図６と図７に示すように、制御基板１０４の四隅には取付孔１０４ａが形成されており、これら取付孔１０４ａに挿入した図示せぬネジによって制御基板１０４は上ケース１０１の内部に固定される。この制御基板１０４の表面には、前述した主制御処理部１７の回路構成部品（図示せず）や複数のコネクタ１０６が実装される他、第１乃至第３識別標識部１０７，１０８，１０９が一側縁の近傍に印刷されている。図１１に示すように、第１識別標識部１０７には「パチンコ機（遊技機）の製造業者の名称」を示す複数の社名が印刷されており、本実施形態例の場合、製造業者が○○社であることを示す「○○社」と、製造業者が△△社であることを示す「△△社」と、製造業者が××社であることを示す「××社」の３つが制御基板１０４の一側縁に沿って互いに近接した状態で一列に印刷されている。また、制御基板１０４には一対の貫通孔１０４ｂ，１０４ｃが穿設されており、これら貫通孔１０４ｂ，１０４ｃは第１識別標識部１０７の両側に位置している。第２識別標識部１０８には「当該基板の管理情報」を示すデータが例えばＱＲコード（登録商標）として印刷されているが、ＱＲコードの代わりにバーコードを基板に印刷したり、ＩＣチップを基板に埋め込むようにしても良い。第３識別標識部１０９には「当該基板の型式」を特定するための番号、記号その他の符号が印刷されている。
【００２５】
制御基板１０４の第１識別標識部１０７上には目隠し部材１１０が取り付けられており、この目隠し部材１１０が第１識別標識部１０７の複数の社名の１つを露呈させて残りを隠蔽するようになっている。図９に示すように、目隠し部材１１０は、第１識別標識部１０７上に載置される長板状の本体部１１１と、この本体部１１１の長手方向の一端側に設けられた第１フック部１１２と、本体部１１１の長手方向の他端側から導出する紐状体１１３と、この紐状体１１３の先端に設けられた第２フック部１１４とで構成されており、これらは透明な樹脂によって一体成形されている。
【００２６】
本体部１１１は透明板１１５の裏面に貼着された隠蔽シール１１６を有しており、この隠蔽シール１１６には複数の社名の１つを露出させる透孔１１６ａが形成されている。図１０（ａ）〜（ｃ）に示すように、本実施形態例の場合、透孔１１６ａの形成位置を異にする３種類の隠蔽シール１１６が準備されており、これら３枚の隠蔽シール１１６の中から１つが選択的に透明板１１５の裏面に貼着されるようになっている。第１フック部１１２は内周面に段差を有する円筒状体であり、図８に示すように、この第１フック部１１２は一方の貫通孔１０４ｂ内に挿入されて制御基板１０４の裏面に突出している。紐状体１１３は本体部１１１の長手方向に沿う寸法よりも若干長めに設定されており、この紐状体１１３は制御基板１０４の表面側から他方の貫通孔１０４ｃを挿通して裏面側に導出されている。紐状体１１３の先端に設けられた第２フック部１１４は矢尻状に形成されており、この第２フック部１１４を第１フック部１１２に挿入して両者をスナップ結合することによって目隠し部材１１０は制御基板１０４に固定される。すなわち、第１フック部１１２と第２フック部１１４とによって目隠し部材１１０を制御基板１０４に脱着不能とするスナップかしめ部１１７が構成されている。
【００２７】
このような目隠し部材１１０を使用して複数の製造業者名の中から１つ、例えば「△△社」用の制御基板１０４を製造する場合は、予め透明板１１５の裏面に図１０（ｂ）に示す隠蔽シール１１６を貼着した目隠し部材１１０を準備しておき、図１１に示すように、この目隠し部材１１０の第２フック部１１４を貫通孔１０４ｃに挿入して紐状体１１３を制御基板１０４の表面側から裏面側に導出させると共に、本体部１１１を第１識別標識部１０７上に載置して第１フック部１１２をもう１つの貫通孔１０４ｂ内に挿入する。しかる後、紐状体１１３をＵ字状に反転して第２フック部１１４を第１フック部１１２に挿入して両者をスナップ結合することにより、両フック部１１２，１１４が脱着不能に一体化され、図６に示すように、目隠し部材１１０が本体部１１１を第１識別標識部１０７上に載置した状態で制御基板１０４に固定される。その結果、第１識別標識部１０７に印刷された複数の製造業者名のうち、透孔１１６ａ内に露出する「△△社」は外部から目視可能であるが、残りの「○○社」と「××社」は隠蔽シール１１６に覆われて隠蔽されるため、この制御基板１０４は「△△社」専用の基板となる。
【００２８】
また、「○○社」用の制御基板１０４を製造する場合は、予め透明板１１５の裏面に図１０（ａ）に示す隠蔽シール１１６を貼着した目隠し部材１１０を準備しておき、この目隠し部材１１０を上記と同様の作業手順で制御基板１０４に固定すれば良く、それによって「○○社」のみを透孔１１６ａ内に露出させて残りの「△△社」と「××社」を隠蔽することができる。さらに、「××社」用の制御基板１０４を製造する場合は、予め透明板１１５の裏面に図１０（ｃ）に示す隠蔽シール１１６を貼着した目隠し部材１１０を準備しておき、この目隠し部材１１０を上記と同様の作業手順で制御基板１０４に固定すれば良く、それによって「××社」のみを透孔１１６ａ内に露出させて残りの「○○社」と「△△社」を隠蔽することができる。
【００２９】
以上説明したように、透孔１１６ａの形成位置を異にする３種類の目隠し部材１１０を制御基板１０４に選択的に固定することにより、回路構成等を同じくする一種類の制御基板１０４を複数の会社間で共通に使用することができるため、各会社毎に製造基板を個別に製造する場合に比べると、部品管理を含めたトータルの製造コストを大幅に低減することができる。また、例えば「△△社」のパチンコ機（遊技機）に使用されていた制御基板１０４を別の「○○社」や「××社」用としてリユース（再使用）する場合、紐状体１１３を切断して既存の目隠し部材１１０を制御基板１０４から取り外した後、新たに交換した目隠し部材１１０を制御基板１０４に再固定して別の社名を露呈させれば良いため、異なる複数の会社間でのリユースが可能となる。しかも、制御基板１０４の第２識別標識部１０８に「当該基板の管理情報」を示すデータがＱＲコードやＩＣチップ等として設けられているため、仮に目隠し部材１１０が制御基板１０４から不正に取り外されたとしても、この第２識別標識部１０８から制御基板１０４の管理情報を確認することができる。
【００３０】
また、目隠し部材１１０が、制御基板１０４の第１識別標識部１０７上に載置される長板状の本体部１１１と、この本体部１１１の長手方向の一端側に設けられた第１フック部１１２と、本体部１１１の長手方向の他端側から導出する紐状体１１３と、この紐状体１１３の先端に設けられた第２フック部１１４とを備え、これら第１フック部と第２フック部とをスナップ結合して一体化することにより、目隠し部材１１０を制御基板１０４に脱着不能とするスナップかしめ部１１７が構成されているため、目隠し部材１１０を制御基板１０４に対して簡単に固定することができる。また、目隠し部材１１０の本体部１１１が、複数の社名の全てを露呈させることが可能な透明板１１５と、透明板１１５の裏面に貼着された隠蔽シール１１６とからなり、この隠蔽シール１１６に複数の社名の１つを露出させる透孔１１６ａが形成されているため、同一種類の透明板１１５に対して透孔１１６ａの形成位置を異にする隠蔽シール１１６を選択的に貼着することで３種類の目隠し部材１１０が得られ、この点からも部品の共通化を図ることができる。なお、目隠し部材１１０を制御基板１０４に位置決め固定する手段として、制御基板１０４の相対向する両側縁部に貫通孔１０４ｂ，１０４ｃの代わりに切欠溝を形成し、これら切欠溝に紐状体１１３を掛け止めすることも可能である。
【００３１】
図１２〜図１４は目隠し部材の変形例を示すものであり、図６〜図１１に対応する部分には同一符号を付してある。図１２と図１３に示すように、この変形例に係る目隠し部材１２０は、制御基板１０４の第１識別標識部１０７上に載置される長板状の本体部１２１と、本体部１２１の裏面に設けられた一対の第１フック部１２２と、制御基板１０４を介して本体部１２１に対向する蓋体部１２３と、蓋体部１２３に立設された一対の第２フック部１２４と、本体部１２１と蓋体部１２３の一側縁どうしを折り畳み可能に連結する連結部１２５と、本体部１２１から連結部１２５にかけて貼着された隠蔽シール１２６とで構成されており、制御基板１０４の第１識別標識部１０７には一対の貫通孔１２７が穿設されている。
【００３２】
本体部１２１（第１フック部１２２を含む）と連結部１２５および蓋体部１２３（第２フック部１２４を含む）は透明な樹脂によって一体成形されており、本体部１２１に設けられた一対の第１フック部１２２は内周面に段差を有する円筒状体として形成されている。蓋体部１２３に設けられた一対の第２フック部１２４は矢尻状に形成されており、これら第２フック部１２４は貫通孔１２７内に挿入されて制御基板１０４の表面側に突出している。そして、各第２フック部１２４に対応する第１フック部１２２を嵌め込んで両者をスナップ結合することで目隠し部材１２０は制御基板１０４に固定され、これら第１フック部１２２と第２フック部１２４とによって目隠し部材１２０を制御基板１０４に脱着不能とするスナップかしめ部１２８が構成されている。隠蔽シール１２６には複数の社名の１つを露出させる透孔１２６ａが形成されており、この隠蔽シール１２６を本体部１２１に貼着することによって第１フック部１２２は隠蔽される。図示省略されているが、透孔１２６ａの形成位置を異にする３種類の隠蔽シール１２６が準備されており、これら３枚の隠蔽シール１２６の中から１つが選択的に本体部１２１と蓋体部１２３の表面に貼着されるようになっている。なお、隠蔽シール１２６は剥離しにくい粘着材を用いて本体部１２１に貼着され、隠蔽シール１２６を無理に剥がすと本体部１２１に剥離痕が残るようになっている。
【００３３】
このような目隠し部材１２０を使用して複数の製造業者名の中から１つ、例えば「△△社」用の制御基板１０４を製造する場合は、まず、図１４（ａ）に示すように、一対の第２フック部１２４を制御基板１０４の裏面側から貫通孔１２７に挿通させる。しかる後、図１４（ｂ）に示すように、本体部１２１と連結部１２５を制御基板１０４の表面側に折り畳んで、一対の第１フック部１２２を貫通孔１２７から突出する第２フック部１２４に挿入して両者をスナップ結合することにより、両フック部１２２，１２４を脱着不能に一体化する。最後に、図１２に示すように、中央に透孔１２６ａが形成された隠蔽シール１２６を本体部１２１から連結部１２５にかけて貼着すると、制御基板１０４の第１識別標識部１０７に印刷された複数の製造業者名のうち、中央の「△△社」のみが透孔１２６ａを通して外部から目視可能となるが、左右の「○○社」と「××社」は隠蔽シール１２６に覆われて隠蔽されるため、この制御基板１０４は「△△社」専用の基板となる。また、「○○社」用の制御基板１０４を製造する場合は、図１４（ｂ）に示すように、第１フック部１２２と第２フック部１２４を脱着不能にスナップ結合した後、左側に透孔１２６ａが形成された別の隠蔽シール１２６を本体部１２１から連結部１２５にかけて貼着すれば良く、「××社」用の制御基板１０４を製造する場合は、同じく第１フック部１２２と第２フック部１２４を脱着不能にスナップ結合した後、右側に透孔１２６ａが形成された別の隠蔽シール１２６を本体部１２１から連結部１２５にかけて貼着すれば良い。
【００３４】
したがって、このような目隠し部材１２０を使用した場合も、回路構成等を同じくする一種類の制御基板１０４を複数の会社間で共通に使用することができるため、各会社毎に製造基板を個別に製造する場合に比べると、部品管理を含めたトータルの製造コストを大幅に低減することができる。また、隠蔽シール１２６を突き破って両フック部１２２，１２４のスナップ結合を破壊することで既存の目隠し部材１２０を制御基板１０４から取り外した後、新たに制御基板１０４に再固定した目隠し部材１２０の本体部１２１に別の隠蔽シール１２６を貼着すれば、新たに交換した隠蔽シール１２６の透孔１２６ａから別の社名を露呈させることができるため、異なる複数の会社間でのリユースが可能となる。しかも、目隠し部材１２０のスナップかしめ部１２８（両フック部１２２，１２４のスナップ結合部分）が本体部１２１に貼着した隠蔽シール１２６によって隠蔽されるため、目隠し部材１２０を不正に取り外すという行為を抑止することができる。なお、図１２〜図１４では図示省略されているが、制御基板１０４には第１識別標識部１０７の他に「当該基板の管理情報」を示す第２識別標識部１０８がＱＲコードやＩＣチップ等として設けられているため、仮に目隠し部材１２０が制御基板１０４から不正に取り外されたとしても、この第２識別標識部１０８から制御基板１０４の管理情報を確認することができる。
【００３５】
図１５と図１６は目隠し部材の他の変形例を示すものであり、図６〜図１１に対応する部分には同一符号を付してある。図１５に示すように、この変形例に係る目隠し部材１３０は、長手方向の途中に係止突起１３１ａを有する紐状体１３１と、この紐状体１３１の一端側に設けられた第１フック部１３２と、紐状体１３１の他端側に設けられた第２フック部１３３と、係止突起１３１ａと第１フック部１３２との間で紐状体１３１の側方へ突出する複数（図１５では２つ）の本体部１３４とで構成されており、これらは染料や顔料が含有された黒色等の不透明樹脂によって一体成形されている。
【００３６】
紐状体１３１の係止突起１３１ａは制御基板１０４の表面側で貫通孔１０４ｃの周縁に係止しており、この係止突起１３１ａから第２フック部１３３に至る部分の紐状体１３１が制御基板１０４の裏面側に導出されている。第１フック部１３２は内周面に段差を有する円筒状体として形成されており、この第１フック部１３２はもう１つの貫通孔１０４ｂ内に挿入されて制御基板１０４の裏面側に突出している。各本体部１３４は制御基板１０４の表面側の第１識別標識部１０７上に載置されており、これら本体部１３４はそれぞれ幅狭部１３４ａを介して紐状体１３１に連結されている。第１識別標識部１０７に印刷された３つの社名のうち「○○社」と「××社」は本体部１３４によって隠蔽されており、残りの「△△社」が両本体部１３４の間に露出している。ただし、目隠し部材１３０が制御基板１０４に固定される前の状態において、図１６に示すように、紐状体１３１には第１識別標識部１０７の各社名に対応して３つの本体部１３４が連設されており、これら本体部１３４の１つが幅狭部１３４ａと共に紐状体１３１から選択的に除去されるようになっている。第２フック部１３３は矢尻状に形成されており、この第２フック部１３３を第１フック部１３２に挿入して両者をスナップ結合することで目隠し部材１３０は制御基板１０４に固定され、これら第１フック部１３２と第２フック部１３３とによって目隠し部材１３０を制御基板１０４に脱着不能とするスナップかしめ部１３５が構成されている。
【００３７】
このような目隠し部材１３０を使用して複数の製造業者名の中から１つ、例えば「△△社」用の制御基板１０４を製造する場合は、まず、図１６に示す目隠し部材１３０から真ん中の本体部１３４を１つだけ除去した後、この目隠し部材１３０の第２フック部１３３を貫通孔１０４ｃに挿入して紐状体１３１を制御基板１０４の表面側から裏面側に導出させると共に、各本体部１３４を第１識別標識部１０７上に載置して第１フック部１３２をもう１つの貫通孔１０４ｂ内に挿入する。しかる後、紐状体１３１をＵ字状に反転して第２フック部１３３を第１フック部１３２に挿入することにより、両フック部１１２，１１４を脱着不能にスナップ結合する。その結果、第１識別標識部１０７に印刷された複数の製造業者名のうち、「○○社」と「××社」はそれぞれ本体部１３４によって隠蔽されるが、残りの「△△社」が両本体部１３４の間に露出するため、この制御基板１０４は「△△社」専用の基板となる。また、「○○社」用の制御基板１０４を製造する場合は、図１６に示す目隠し部材１３０から左側の本体部１３４を１つだけ除去した後、この目隠し部材１３０を制御基板１０４に固定すれば良く、「××社」用の制御基板１０４を製造する場合は、図１６に示す目隠し部材１３０から右側の本体部１３４を１つだけ除去した後、この目隠し部材１３０を制御基板１０４に固定すれば良い。
【００３８】
したがって、このような目隠し部材１３０を使用した場合においても、回路構成等を同じくする一種類の制御基板１０４を複数の会社間で共通に使用することができるため、各会社毎に製造基板を個別に製造する場合に比べると、部品管理を含めたトータルの製造コストを大幅に低減することができる。また、紐状体１３１を切断して既存の目隠し部材１３０を制御基板１０４から取り外した後、本体部１３４の切除位置を変えた別の目隠し部材１３０を制御基板１０４に再固定すれば、新たに交換した目隠し部材１３０の各本体部１３４の間に別の社名を露呈させることができるため、異なる複数の会社間でのリユースが可能となる。さらに、図１５では図示省略されているが、制御基板１０４には第１識別標識部１０７の他に「当該基板の管理情報」を示す第２識別標識部１０８がＱＲコードやＩＣチップ等として設けられているため、仮に目隠し部材１３０が制御基板１０４から不正に取り外されたとしても、この第２識別標識部１０８から制御基板１０４の管理情報を確認することができる。また、この目隠し部材１３０を制御基板１０４に位置決め固定する手段として、制御基板１０４の相対向する両側縁部に貫通孔１０４ｂ，１０４ｃの代わりに切欠溝を形成し、これら切欠溝に紐状体１３１を掛け止めするようにしても良い。
【００３９】
なお、上記した実施形態例では、本発明の基板ユニット１００をパチンコ機Ｐに適用した場合について説明したが、スロットマシン等の他の遊技機についても同様に適用可能であることは言うまでもない。
【符号の説明】
【００４０】
１００  基板ユニット
１０１  上ケース
１０２  下ケース
１０４  制御基板
１０４ｂ，１０４ｃ  貫通孔
１０７  第１識別標識部
１０８  第２識別標識部
１０９  第３識別標識部
１１０  目隠し部材
１１１  本体部
１１２  第１フック部
１１３  紐状体
１１４  第２フック部
１１５  透明板
１１６  隠蔽シール
１１６ａ  透孔
１１７  スナップかしめ部
１２０  目隠し部材
１２１  本体部
１２２  第１フック部
１２３  蓋体部
１２４  第２フック部
１２５  連結部
１２６  隠蔽シール
１２７  貫通孔
１２８  スナップかしめ部
１３０  スナップかしめ部
１３１  紐状体
１３１ａ  係止突起
１３２  第１フック部
１３３  第２フック部
１３４  本体部
１３５  スナップかしめ部
Ｐ  パチンコ機
【図１】
0005694758.tif 000002
【図２】
0005694758.tif 000003
【図３】
0005694758.tif 000004
【図４】
0005694758.tif 000005
【図５】
0005694758.tif 000006
【図６】
0005694758.tif 000007
【図７】
0005694758.tif 000008
【図８】
0005694758.tif 000009
【図９】
0005694758.tif 000010
【図１０】
0005694758.tif 000011
【図１１】
0005694758.tif 000012
【図１２】
0005694758.tif 000013
【図１３】
0005694758.tif 000014
【図１４】
0005694758.tif 000015
【図１５】
0005694758.tif 000016
【図１６】
0005694758.tif 000017